(57)【要約】【課題】プリンタ装置へ出力する際のプリントデータとして複数種類のＰＤＬを選択でき、なお且つ、ＰＤＬについての知識を持たないユーザであっても、利用する機能等に応じて最適なＰＤＬの選択を行うことが可能な画像読取装置を提供すること。【解決手段】複写処理に関して利用可能な機能に、それぞれ対応付けてプリントデータの種類を記憶するテーブル１９と、前記機能の指定を受付ける手段と、プリンタ装置１５に送信するプリントデータの種類を、前記機能指定受付手段が受付けた機能、及び、前記テーブル１９が記憶する機能とプリントデータの種類の対応関係に基づいて決定する手段と、を備える画像読取装置１。【選択図】図２
2005110084.tif 000002
【特許請求の範囲】
【請求項１】
ケーブルを介してプリンタ装置を接続する接続手段と、前記ケーブルを通じてプリントデータを前記プリンタ装置へ送信する送信手段と、を備えた画像読取装置であって、
複写処理に関して利用可能な機能に、それぞれ対応付けてプリントデータの種類を記憶する記憶手段と、
前記機能の指定を受付ける機能指定受付手段と、
前記プリンタ装置に送信するプリントデータの種類を、前記機能指定受付手段が受付けた機能、及び、前記記憶手段が記憶する機能とプリントデータの種類の対応関係に基づいて決定する決定手段と、を備えることを特徴とする画像読取装置。
【請求項２】
接続されたプリンタ装置の識別情報を検出する識別情報検出手段をさらに備え、
前記記憶手段は、プリンタ装置の識別情報毎に、前記対応関係を記憶しており、
前記決定手段は、前記プリンタ装置に送信するプリントデータの種類を、前記識別情報検出手段が検出した識別情報により特定される前記対応関係、及び前記機能指定受付手段が受付けた機能に基づいて決定することを特徴とする請求項１記載の画像読取装置。
【請求項３】
前記記憶手段は、更に、適用すべきプリントデータの種類の優先順位情報を各機能毎に対応付けて記憶しており、
前記決定手段は、前記機能指定受付手段が受付けた機能に対応付けて複数のプリントデータの種類が記憶されている場合に、前記プリンタ装置に送信するプリントデータの種類を、前記機能指定受付手段が受付けた機能、並びに、前記記憶手段が当該機能に対応付けて記憶している複数のプリントデータの種類及び前記優先順位情報に基づいて決定することを特徴とする請求項１又は２記載の画像読取装置。
【発明の詳細な説明】
【技術分野】
【０００１】
本発明は、読取った画像データをＰＤＬ（ページ記述言語）データに変換して直接プリンタ装置へ送信する画像読取装置に関する。
【背景技術】
【０００２】
読取った画像データを、ＵＳＢ（Ｕｎｉｖｅｒｓａｌ  Ｓｅｒｉａｌ  Ｂｕｓ）等により直接接続されたプリンタ装置に送信して印刷させることができる画像読取装置（スキャナ）がある。この画像読取装置及びプリンタ装置を使用して複写（コピー）処理が行われる場合、画像読取装置によって原稿の画像データが読取られ、読取られた画像データがプリントデータであるＰＤＬデータに変換されてプリンタ装置へ送信される。そして、プリンタ装置は、画像読取装置から受信したＰＤＬデータの画像データに基づいて記録紙上に印刷画像を形成する。
【０００３】
画像読取装置とプリンタ装置の間で利用されるＰＤＬの種類は、Ｐｏｓｔ  Ｓｃｒｉｐｔ、ＰＣＬ、Ｉｎｔｅｒｐｒｅｓｓ、ＥＳＣ／Ｐａｇｅなど様々なものがある。ＰＤＬは種類によって対応する画像圧縮方式や色空間が異なることから、採用するＰＤＬの種類によって、利用できる付加機能やデータ転送速度等が異なる。
【０００４】
特許文献１には、実装するＰＤＬの種類がそれぞれ異なる３台のプリンタ装置と、これらの何れか１台に対してＰＤＬデータを出力する、何れの種類のＰＤＬにも対応したパーソナルコンピュータとからなる画像転送システムが開示されている。この画像転送システムでは、パーソナルコンピュータでの印刷操作時に前記３台のプリンタ装置の中から出力先を選択することができるので、パーソナルコンピュータのユーザは相異なる３種類のＰＤＬから希望するＰＤＬを選択して印刷を行うことができる。
【０００５】
【特許文献１】特開平９−２９８６５５号公報
【発明の開示】
【発明が解決しようとする課題】
【０００６】
ところが、特許文献１の画像転送システムを使用して、複写処理に関する付加機能等を利用して印刷する場合、利用する付加機能等に応じて最適なＰＤＬを選択するためには、ユーザ自身がそれぞれの種類のＰＤＬの特徴を熟知していることが必要であり、ＰＤＬの特徴を把握していない一般ユーザは、上記画像転送システムを有効に活用することができないという問題がある。
【０００７】
本発明は、かかる課題に鑑みてなされたものであり、プリンタ装置へ出力する際のプリントデータとして複数種類のＰＤＬを選択でき、なお且つ、ＰＤＬについての知識を持たないユーザであっても、利用する機能等に応じて最適なＰＤＬの選択を行うことが可能な画像読取装置を提供することを目的とする。
【課題を解決するための手段】
【０００８】
上記目的を達成するために、請求項１記載の画像読取装置は、ケーブルを介してプリンタ装置を接続する接続手段と、前記ケーブルを通じてプリントデータを前記プリンタ装置へ送信する送信手段と、を備えた画像読取装置であって、複写処理に関して利用可能な機能に、それぞれ対応付けてプリントデータの種類を記憶する記憶手段と、前記機能の指定を受付ける機能指定受付手段と、前記プリンタ装置に送信するプリントデータの種類を、前記機能指定受付手段が受付けた機能、及び、前記記憶手段が記憶する機能とプリントデータの種類の対応関係に基づいて決定する決定手段と、を備えることを特徴としている。
【０００９】
請求項２記載の画像読取装置は、請求項１記載の画像読取装置において、接続されたプリンタ装置の識別情報を検出する識別情報検出手段をさらに備え、前記記憶手段は、プリンタ装置の識別情報毎に、前記対応関係を記憶しており、前記決定手段は、前記プリンタ装置に送信するプリントデータの種類を、前記識別情報検出手段が検出した識別情報により特定される前記対応関係、及び前記機能指定受付手段が受付けた機能に基づいて決定することを特徴としている。
【００１０】
請求項３記載の画像読取装置は、請求項１又は２記載の画像読取装置において、前記記憶手段は、更に、適用すべきプリントデータの種類の優先順位情報を各機能毎に対応付けて記憶しており、前記決定手段は、前記機能指定受付手段が受付けた機能に対応付けて複数のプリントデータの種類が記憶されている場合に、前記プリンタ装置に送信するプリントデータの種類を、前記機能指定受付手段が受付けた機能、並びに、前記記憶手段が当該機能に対応付けて記憶している複数のプリントデータの種類及び前記優先順位情報に基づいて決定することを特徴としている。
【発明の効果】
【００１１】
請求項１記載の画像読取装置によれば、指定された機能に応じて複数種類のＰＤＬの中から最適な種類のＰＤＬを自動的に選択して複写処理が行われる。これにより、それぞれのＰＤＬの特徴について知識を持たないユーザであっても、利用する機能に応じて最適なＰＤＬを選択して原稿の複写を行うことができる。
【００１２】
請求項２記載の画像読取装置によれば、種類の異なる複数のプリンタを交替して使用する場合でも請求項１記載の画像読取装置と同様の効果が得られる。
【００１３】
請求項３記載の画像読取装置によれば、複数の機能がユーザによって指定され、そのうちの１つに、特定のＰＤＬによってのみ実行することができる機能が含まれている場合には、自動的に当該特定のＰＤＬによって複写処理が行われる。これにより、複数の機能を指定して複写する場合であっても、請求項１記載の画像読取装置と同様の効果が得られる。
【発明を実施するための最良の形態】
【００１４】
以下本発明の実施の形態に係る画像読取装置について図面に基づき説明する。図１に画像読取装置１の構成例を示す。すなわち、画像読取装置１は、ＣＰＵ（中央処理装置）２、ＲＡＭ（ランダムアクセスメモリー）３、ＲＯＭ（リードオンリーメモリー）４、ページメモリ５、画像メモリ６、コーデック（ＣＯＤＥＣ）７、読取部８、表示部９、操作部１０、ＰＤＬ変換回路１１及びＵＳＢホストコントローラ１２を備えたものであって、各部２乃至１２はバス１３によって接続されている。
【００１５】
ＣＰＵ２は、ＲＯＭ４に格納された制御プログラムに従って、この画像読取装置１を構成する各部を制御する。ＲＡＭ３は、ＣＰＵ２の主メモリ、ワークエリア等として機能し、後述する機能−ＰＤＬ対応テーブル１９を記憶している。ＲＯＭ４には制御プログラムが格納されている。ページメモリ５は、読取部８で読み取られた画像データを一時的に記憶する。画像メモリ６は、ページメモリ５内の画像データがコーデック７によって圧縮符号化された画像データを蓄積する。
【００１６】
コーデック７はページメモリ５に一時的に記憶された画像データをＪＰＥＧ（Joint  Photographic  Experts  Group）方式又はＭＭＲ方式等により順次圧縮符号化する。またコーデック７は、画像メモリ６に蓄積された符号化画像データをＣＰＵ２の要求に応じて復号化する。
【００１７】
読取部８は、ＲＧＢ３ラインのＣＣＤカラーラインセンサを具備し、該ＣＣＤカラーラインセンサにより原稿の画像データを読取り、所定のデータ処理を施した後、２値化若しくは多値化した画像データを出力する。
【００１８】
表示部９は、例えば操作部１０に並設されたＬＣＤ（Ｌｉｑｕｉｄ  Ｃｒｙｓｔａｌ  Ｄｉｓｐｌａｙ）からなり、各種の画面情報を表示する。操作部１０は、ユーザが情報を入力する入力キーなどを具備し、ユーザによる各種の操作は、この操作部１０において行われる。
【００１９】
ＰＤＬ変換回路１１は、画像メモリ６に蓄積された画像データを複数の種類のＰＤＬに変換する。本実施の形態においては、「ＰｏｓｔＳｃｒｉｐｔ３」、「ＥＳＣ／Ｐａｇｅ」及び「ＰＣＬ５」の３種類のＰＤＬに対応して画像データを変換する。なお、ＰＤＬの種類毎にプリントデータのコマンド体系は異なることになる。また、ＰＤＬ変換回路１１が対応するＰＤＬの種類や対応できるＰＤＬの種類数はこれに限定されず、その他の種類のＰＤＬに変換するものや４種類以上のＰＤＬに対応して変換できるものとしてもよい。
【００２０】
ＵＳＢホストコントローラ１２は、ＵＳＢ（Ｕｎｉｖｅｒｓａｌ  Ｓｅｒｉａｌ  Ｂｕｓ）のホストコントローラ機能を実行するものであり、後述するＵＳＢデバイスコントローラを実装したプリンタ装置１５へＵＳＢを介してＰＤＬデータの送信を行うことができる。また、ＵＳＢホストコントローラ１２にはＵＳＢポート１７が設けられており、これにＵＳＢケーブル１８の一端が接続される。そして、実際にＵＳＢケーブル１８によりプリンタ装置１５と接続されると、ＵＳＢホストコントローラ１２は、接続されたことを電気的に検出し、接続先デバイスである相手プリンタ装置１５との間でネゴシエーションを行って同プリンタ装置１５の識別情報を取得するようになっている。なお、ＵＳＢホストコントローラ１２としては、ＵＳＢ−ＩＦ（Ｉｍｐｌｅｍｅｎｔ  Ｆｏｒｕｍ）が公開している規格であるＯＴＧ（Ｏｎ−Ｔｈｅ−Ｇｏ）を搭載したコントローラ等もある。
【００２１】
図２に、ＲＡＭ３に格納されている機能−ＰＤＬ対応テーブル１９の例を示す。この機能−ＰＤＬ対応テーブル１９は、複写（コピー）処理に関して利用可能な機能にそれぞれ対応付けて１又は複数のＰＤＬの種類を記憶する手段として機能するものである。この機能−ＰＤＬ対応テーブル１９に登録される内容情報は、操作部１０からのオペレータによる所定操作によって入力編集され得るようになっている。
【００２２】
詳細にその内容を説明すると、機能−ＰＤＬ対応テーブル１９は、「機能」フィールドと「ＰＤＬ」フィールドとで構成されており、「機能」フィールドには、複写（コピー）処理に関して利用可能な機能又は「なし」が格納され、「ＰＤＬ」フィールドには、ＰＤＬの種類が格納されている。前記機能とＰＤＬの種類は、夫々のフィールドの同一レコードに格納されることで相互に対応付けられている。
【００２３】
また、機能−ＰＤＬ対応テーブル１９は、画像読取装置１が複数のプリンタ装置１５を出力先として選択し印刷させることができるように、対応するプリンタ装置１５の識別情報毎に形成することができるようになっている。つまり、複数の機能−ＰＤＬ対応テーブル１９Ａ乃至１９Ｃの夫々にプリンタ装置１５の識別情報、例えば「プリンタＡ」など、を付与することにより、前記機能とＰＤＬの種類との対応関係をプリンタ装置１５の種類ごとに記憶することができるようになっている。
【００２４】
本実施の形態においては、図示するように、ＲＡＭ３に３種類の機能−ＰＤＬ対応テーブル１９Ａ、１９Ｂ、１９Ｃが形成されており、異なる３種類のプリンタ装置１５に対応して印刷させることができるようになっている。各機能−ＰＤＬ対応テーブル１９Ａ、１９Ｂ、１９Ｃをそれぞれ詳細に説明すると、機能−ＰＤＬ対応テーブル１９Ａは「ＰｏｓｔＳｃｒｉｐｔ３」及び「ＥＳＣ／Ｐａｇｅ」の２種類のＰＤＬに対応するプリンタ装置に対してプリントデータを出力する際に参照されるテーブルである。テーブル１９Ｂは「ＰｏｓｔＳｃｒｉｐｔ３」及び「ＰＣＬ５」の２種類のＰＤＬに対応するプリンタ装置に対してプリントデータを出力する際に参照されるテーブルである。そして、テーブル１９Ｃは「ＰｏｓｔＳｃｒｉｐｔ３」、「ＥＳＣ／Ｐａｇｅ」及び「ＰＣＬ５」の３種類のＰＤＬに対応するプリンタ装置に対してプリントデータを出力する際に参照されるテーブルである。また、全ての機能−ＰＤＬ対応テーブル１９Ａ乃至１９Ｃには、複写操作時に機能が指定されなかった場合に使用されるデフォルトのＰＤＬの種類が「機能」フィールドの「なし」に対応付けて「ＰＤＬ」フィールドに記憶されている。
【００２５】
さらに、機能−ＰＤＬ対応テーブル１９は、各機能ごとに複数のＰＤＬの種類が登録されている場合に、各機能ごとに適用すべきＰＤＬの種類の優先順位情報をも記憶する。すなわち、「ＰＤＬ」フィールドの各レコードには、区切り記号「、」が介在されることにより複数種類のＰＤＬが記憶（登録）されるようになっており、例えば前方から（図示左方から）順に優先順位が高いとみなされて後述する各種の処理が行われる。なお、優先順位情報は、各機能ごとに対応付けて登録された複数のＰＤＬの優先順位を特定することができるものであれば、前記した記載順によるものに限定されない。
【００２６】
次に上記構成を備える画像読取装置１とプリンタ装置１５がＵＳＢにより接続され複写処理（コピー）が行われる際に実行される処理動作について、図３及び図４に示すフローチャートに基づいて説明する。なお、以下のフローチャートに基づいて説明する画像読取装置１の処理動作は、ＲＯＭ４に格納された制御プログラムに基づきＣＰＵ２が発行する命令に従って行われる。また、画像読取装置１に接続されるプリンタ装置１５は、ＵＳＢデバイスコントローラ（不図示）などを備え、ＵＳＢにより直接画像読取装置１と接続されてＰＤＬデータを受信するものである。
【００２７】
ユーザ等によって、ＵＳＢケーブル１８にて画像読取装置１とプリンタ装置１５のＵＳＢポート１７が接続されると、画像読取装置１のＵＳＢホストコントローラ１２は、プリンタ装置１５とのＵＳＢケーブル１８による接続を電気的に検出する（Ｓ１）。画像読取装置１のＵＳＢホストコントローラ１２は、接続先であるプリンタ装置１５に所定信号を出力するなどして識別情報を要求し（Ｓ２）、プリンタ装置１５からの応答として返信されてきた識別情報を受信して（Ｓ３）、これをＲＡＭ３の所定領域に記憶する（Ｓ４）。なお、この識別情報は、ＵＳＢケーブル１８が外されるまで記憶され、その後新たにＵＳＢケーブルが接続されたときに新たに受信した識別情報に更新される。
【００２８】
上述のように画像読取装置１とプリンタ装置１５とがＵＳＢによって接続された状態で、画像読取装置１の読取部８にユーザにより原稿がセットされ、ユーザが操作部１０において、１又は複数の機能を選択し或いは機能を選択せずにコピーを開始するための操作（スタートキーの押下等）を行うと、画像読取装置は、該操作によるコピー開始命令を受付るとともに、機能が指定された場合にあっては指定された１又は複数の機能を受け付けてＲＡＭ３の所定領域に記憶する（Ｓ５１）。
【００２９】
次いで、読取部８により、セットされた原稿の画像データが読取られ、所定のデータ処理等が施されて、ページメモリ５に張り付けられる（Ｓ５２）。一方、前記Ｓ５１において受付けた機能と前記Ｓ４で記憶した相手プリンタ装置１５の識別情報及び機能−ＰＤＬ対応テーブル１９に付与されている識別情報に基づいて相手プリンタ装置１５に対応する機能−ＰＤＬ対応テーブル１９を特定し（Ｓ５３）、特定した機能−ＰＤＬ対応テーブル１９（以下「特定テーブル１９」という。）が記憶する機能（「なし」を含む）とＰＤＬの種類の対応関係及び、前記Ｓ５１で機能の指定を受付けた場合にあっては、当該受付けた機能に基づいて、使用するＰＤＬを決定するための処理を行う（Ｓ５４）。そして、ＰＤＬが決定されると（Ｓ５５：ＹＥＳ）、決定したＰＤＬの画像データを読取った画像データから生成し（Ｓ５６）、生成したＰＤＬの画像データを相手先のプリンタ装置１５に対してＵＳＢ（ケーブル）を通じて送信する（Ｓ５７）。
【００３０】
一方、相手先プリンタ装置１５は、画像読取装置１からＵＳＢ（ケーブル）を通じて送信されてきたＰＤＬデータを受信して（Ｓ５８）、取得したＰＤＬの画像データをデコードして印刷処理を行う（Ｓ５９）。なお、前記Ｓ５５においてＰＤＬが決定されなかった場合は（Ｓ５５：ＮＯ）、Ｓ５６乃至Ｓ５９の処理動作は行われない。
【００３１】
次に前記Ｓ５４の処理動作を図５に示すフローチャートに基づいて更に詳細に説明する。前記Ｓ５１において機能の指定を受付けなかった場合は（Ｓ１０１：ＮＯ）、特定テーブル１９の「機能」フィールドの「なし」に対応付けて記憶されているデフォルトのＰＤＬの種類を、使用するＰＤＬとして決定する（Ｓ１０２）。
【００３２】
前記Ｓ５１において機能の指定を受付けていた場合（Ｓ１０１：ＹＥＳ）、指定された機能が１つであるか否かを判断し（Ｓ１０３）、１つである場合には、指定された機能に対応付けられたＰＤＬが１種類であるか否かが特定テーブル１９において当該機能に対応付けられたＰＤＬの個数に従って判断される（Ｓ１０４）。そして、対応付けられたＰＤＬが１種類であると判断した場合は、当該対応付けられたＰＤＬを、使用するＰＤＬとして決定する（Ｓ１０５）。
【００３３】
前記Ｓ１０４において、指定された機能に対応付けられたＰＤＬが複数種類あると判断した場合は（Ｓ１０４：ＮＯ）、当該複数種類のＰＤＬの優先順位情報に基づいて最も優先順位が高いＰＤＬを、使用するＰＤＬとして決定する（Ｓ１０６）。
【００３４】
前記Ｓ１０３において、指定された機能が複数あると判断した場合は（Ｓ１０３：ＮＯ）、特定テーブル１９において当該指定された機能全てに対応付けられたＰＤＬの種類があるか否かを判断し（Ｓ１０７）、そのようなＰＤＬがある場合には（Ｓ１０７：ＹＥＳ）、さらに当該ＰＤＬが１種類であるか否かを判断する（Ｓ１０８）。そして、当該ＰＤＬが１種類である場合には（Ｓ１０８：ＹＥＳ）、当該ＰＤＬを、使用するＰＤＬとして決定する（Ｓ１０９）。
【００３５】
前記Ｓ１０７において、指定された機能全てに対応付けられたＰＤＬの種類がないと判断した場合は（Ｓ１０７：ＮＯ）、エラー報知を行う（Ｓ１１０）。エラー報知は表示部９に、例えば「指定された複数の機能を組み合わせて選択することはできません。」等のエラーメッセージを表示することによって行われる。該報知はその他種々の手段により行うことも可能であり例えば、画像読取装置１に発光手段や発音手段を設けて特定の発光や発音により当該エラーをユーザに報知するようにしてもよい。
【００３６】
前記Ｓ１０８において、指定された機能全てに対応付けられたＰＤＬの種類が複数種類あると判断した場合（Ｓ１０８：ＮＯ）、ＰＤＬの優先順位情報を順に１位、２位、・・・とし、指定された機能に対応付けられた各ＰＤＬの優先順位情報を加算し（Ｓ１１１）、加算結果に基づき最も優先順位の高いＰＤＬを、使用するＰＤＬとして決定する（Ｓ１１２）。例えば、特定テーブル１９が機能−ＰＤＬ対応テーブル１９Ｃである場合であって、指定された機能がソート、回転及び枠消去の３機能である場合には、「ＰＣＬ５」の優先順位情報は、ソートについて「１位」、回転について「１位」、枠消去について「２位」であるから、加算優先順位は「１＋１＋２＝４」であり、「ＥＳＣ／Ｐａｇｅ」の優先順位情報は、ソートについて「２位」、回転について「２位」、枠消去について「１位」であるから、加算優先順位は「２＋２＋１＝５」であり、「ＰｏｓｔＳｃｒｉｐｔ３」の優先順位情報は、ソートについて「３位」、回転について「３位」、枠消去について「３位」であるから、加算優先順位は「３＋３＋３＝９」である。したがって、加算優先順位が最も高い「４」である「ＰＣＬ５」を最も優先順位の高いものとし、これを使用するＰＤＬとして決定する。なお、上記Ｓ１１１及びＳ１１２による優先順位の決定処理は、総合的な優先順位の決定処理手段の一例を示したに過ぎず、当然に、その他の優先順位情報に基づく処理手段により総合的な優先順位を算出し、これにより使用するＰＤＬを決定してもよい。
【００３７】
以上の説明から明らかなように、本実施の形態に係る画像読取装置１によれば、それぞれのＰＤＬの特徴を把握しているものが機能−ＰＤＬ対応テーブル１９の登録行えば、或いは、一般ユーザがＰＤＬの特徴を調査した上で適切に機能−ＰＤＬ対応テーブル１９の登録を行えば、その後は、複写処理の際に、登録された情報に基づいて最適なＰＤＬが自動的に選択されるので、ＰＤＬの特徴を把握していないその他の者であっても、指定した機能に応じて最適なＰＤＬにより複写を行うことができる。また、プリンタ装置ごとに、機能−ＰＤＬ対応テーブル１９を登録（記憶）することができるので、複数のプリンタ装置をつなぎ替えて使用しても、機能に応じて最適なＰＤＬが自動的に選択される。
【００３８】
なお、以上の実施の形態においては、画像読取装置１とプリンタ装置１５をＵＳＢを介して接続した場合を例に挙げて説明したが、画像読取装置１において複写処理が実行される前に相手先プリンタ装置１５の識別情報を取得することができれば、接続手段はＵＳＢに限定されない。その場合は例えば、ＵＳＢホストコントローラ１２に代えてパラレルインターフェース、ＬＡＮ（ローカル・エリア・ネットワーク）インターフェース等を装備して、パラレル、ＬＡＮ等を接続手段としてもよい。
【００３９】
また、本実施の形態においては、画像読取装置１は、相手の識別情報はネゴシエーションによって取得するようになっているが、操作部１０等からユーザの操作により入力された識別情報を受付けて記憶し、該識別情報をネゴシエーションにより取得する識別情報の代わりに使用するものとしてもよい。
【産業上の利用可能性】
【００４０】
本発明は、例えば、プリンタ装置にＵＳＢを介して接続可能なスキャナ等の画像読取装置に適用することができる。
【図面の簡単な説明】
【００４１】
【図１】本発明の実施の形態に係る画像読取装置の構成例を示した図である。
【図２】機能−ＰＤＬ対応テーブルの例を示した図である。
【図３】本発明の実施の形態に係る画像読取装置とプリンタ装置とが接続された際に形成されるネゴシエーションの例を示した図である。
【図４】本発明の実施の形態に係る画像読取装置の複写処理動作を示したフローチャートである。
【図５】本発明の実施の形態に係る画像読取装置が画像データをプリンタ装置に送信するために使用するＰＤＬを決定する処理動作を示したフローチャートである。
【符号の説明】
【００４２】
１    画像読取装置
２    ＣＰＵ
３    ＲＡＭ
４    ＲＯＭ
８    読取部
１１    ＰＤＬ変換回路
１２    ＵＳＢホストコントローラ
１５    プリンタ装置
１９    機能−ＰＤＬ対応テーブル
【図１】
2005110084.tif 000003
【図２】
2005110084.tif 000004
【図３】
2005110084.tif 000005
【図４】
2005110084.tif 000006
【図５】
2005110084.tif 000007